(57)【要約】 【目的】 装飾部材に中実の打込ピンを設けると共にこの打込ピンを打ち込み止める打込部を雄ホック部材に設け、これらにより雄ホック部材と装飾部材を取付個所に容易に取り付けうるようにされたホックの雄ホックを提供する。【構成】 取付個所の一方の面に固定して使用する雄ホック部材と同取付個所の他方の面に固定して使用する装飾部材より構成され、雄ホック部材には打込部が設けられ、また装飾部材の裏面には先端部に引掛り部を有する打込ピンが立設され、この打込ピンを上記他方の面から上記一方の面に通してその先端部を上記打込部に打ち込んでその打込孔の周壁に上記引掛り部を食込ませることにより上記雄ホック部材、装飾部材を取付個所に固定しうるようにされたものである。【選択図】図２
2007105243.tif 000002
【特許請求の範囲】
【請求項１】
取付個所の一方の面に固定して使用する雄ホック部材と同取付個所の他方の面に固定して使用する装飾部材より構成され、雄ホック部材には打込部が設けられ、また装飾部材の裏面には先端部に引掛り部を有する打込ピンが立設され、この打込ピンを上記他方の面から上記一方の面に通してその先端部を上記打込部に打ち込んでその打込孔の周壁に上記引掛り部を食込ませることにより上記雄ホック部材、装飾部材を取付個所に固定しうるようにされたことを特徴とするホックの雄ホック。
【請求項２】
装飾部材は装飾主部材と装飾副部材より構成され、装飾主部材には打込ピンが立設され、装飾副部材には上記打込ピンの通し孔が設けられ、この通し孔に上記打込ピンを通してから当該打込ピンの先端部を上記打込部に打ち込んでその打込孔の周壁に上記引掛り部を食込ませることにより上記の雄ホック部材、装飾主部材及び装飾副部材を取付個所に固定しうるようにされたことを特徴とする請求項１記載のホックの雄ホック。
【請求項３】
打込部はプラスチック製であり、打込ピンは金属製であることを特徴とする請求項１又は２記載のホックの雄ホック。
【請求項４】
打込部はインサート成形により雄ホック部材に設けられたことを特徴とする請求項１〜３のいずれか一つの請求項記載のホックの雄ホック。
【請求項５】
打込部は打込部材の圧入固定により雄ホック部材に設けられたことを特徴とする請求項１〜３のいずれか一つの請求項記載のホックの雄ホック。
【請求項６】
引掛り部は打込方向と反対の向きに傾斜して逆進を阻止するくさび形の断面形状にされたことを特徴とする請求項１〜５のいずれか一つの請求項記載のホックの雄ホック。
【請求項７】
装飾部材若しくは装飾主部材は透かし孔を有する透かし模様形状体とされたこと特徴とする請求項１〜６のいずれか一つの請求項記載のホックの雄ホック。
【請求項８】
打込ピンは中実の細棒製とされたこと特徴とする請求項１〜７のいずれか一つの請求項記載のホックの雄ホック。
【発明の詳細な説明】
【技術分野】
【０００１】
本発明は、衣服類、鞄・袋物類等の開口部を係止するのに使用される雌・雄一対のホックのうち、雌ホックが有する係止用凹部内に装備された銜止用スプリングに銜え込ませて係止させる雄ホックの改良に関するものである。
【背景技術】
【０００２】
従来、衣服等に対する雄ホックの取付手段として、先端を拡げ潰して止めるパイプ状のカシメ脚をもつ止め部材を用いた方式は広く知られている（特許文献１参照）。
【０００３】
しかしながら、上記従来の方式にあってパイプ状のカシメ脚は、充分な強度を得る必要性及びその先端を拡げ潰す必要性等から比較的太い径のものになっていた。このため、衣服等の取付個所には予め下孔を開ける必要があったという問題、この下孔を開ける取付工程が煩瑣で生産能率の低下、コストアップ等を招いていたという問題、透かし孔をもつ透かし模様形状の止め部材には、パイプ状カシメ脚が太く且つその壁の厚さ（肉厚）が薄いために立設し難いのみならずパイプ状カシメ脚が透かし孔を介して露呈して体裁を損ねることになる等の理由から実施が困難である若しくはできないというような問題があった。
【０００４】
しかも、上記カシメ脚のカシメ作業にあっては、当該カシメ脚の先端開口縁を伸ばし拡げてから押し潰すのに大きい力が必要であるという問題、このために往々にホック本体やその飾部分に破損、変形を生起してしまい易いという問題、当該破損、変形問題が洋服等衣服への取付中に発生した場合には取り除いて付け直すことが殆どできなく結果として洋服等衣服ごと廃棄処分せざるを得ない事態を招くという問題等があった。
【特許文献１】実公平６−３６７３４号公報
【発明の開示】
【発明が解決しようとする課題】
【０００５】
そこで、本発明は、装飾部材の裏面に中実の打込ピンを設け、この打込ピンを打込み止める打込部を雄ホック部材に設けることにより、上記したような諸問題を一挙に解決するように工夫された新規のホックの雄ホックを提供することを課題とするものである。
【課題を解決するための手段】
【０００６】
上記課題を達成するために、本発明に係るホックの雄ホックは、取付個所の一方の面に固定して使用する雄ホック部材と同取付個所の他方の面に固定して使用する金属製装飾部材より構成され、雄ホック部材にはインサート成形による若しくは圧入固定による打込部が設けられ、また装飾部材の裏面には先端部の周面に引掛り部を有する中実打込ピンが立設され、この打込ピンを上記他方の面から上記一方の面に通してその先端部を上記打込部に打ち込んでその打込孔の周壁に上記引掛り部を食込ませることにより上記雄ホック部材、装飾部材を取付個所に固定しうるようにされたものである。
【０００７】
また、雄ホック部材と、装飾副部材と、装飾副部材の頂部に固定された透かし模様形状の金属製装飾主部材とを備え、雄ホック部材にはインサート成形による若しくは圧入固定による打込部が設けられ、また装飾主部材の裏面には逆進阻止構造の引掛り部付き中実打込ピンが設けられ、また装飾副部材には打込ピンの通し孔が設けられ、この通し孔に打込ピンを通してから当該打込ピンの先端部を上記打込部に打ち込んでその打込孔の周壁に上記引掛り部を食込ませることにより上記の雄ホック部材、装飾主部材及び装飾副部材を取付個所に止着しうるようにされたものである。
【発明の効果】
【０００８】
請求項１に係るホックの雄ホックは、取付個所の一方の面に固定して使用する雄ホック部材と同取付個所の他方の面に固定して使用する装飾部材より構成され、雄ホック部材には打込部が設けられ、また装飾部材の裏面には先端部に引掛り部を有する打込ピンが立設され、この打込ピンを上記他方の面から上記一方の面に通してその先端部を上記打込部に打ち込んでその打込孔の周壁に上記引掛り部を食込ませることにより上記雄ホック部材、装飾部材を取付個所に固定しうるようにされたものであるので、これを衣服等に取り付けるには、衣服等における取付個所の表側に装飾部材を配し裏側に雄ホック部材を配すると共に当該雄ホック部材の打込ピンを雄ホック部材の打込部に打ち込んでその打込孔の周壁に上記引掛り部を食込ませればよいものであり、衣服等の取付個所に予め下孔を開ける必要がない分取付個所に対する取付工程の簡略化ができる。すなわち、量産化、低コスト化、製造工程の少減化等に優れている、装飾部材により装飾された雄ホックを容易に提供できる。また、打込ピンがその外周に引掛り部が設けられたので、衣服等に取り付けられた場合、引掛り部が打込部に食い込んだ状態で打込ピンを打込部に強固に係止でき、打込ピンの抜け外れ事故を完全に回避でき、当該事故を惹起するような不良衣服を不測に提供してしまうようなミスを防止できる。
【０００９】
請求項２に係るホックの雄ホックは、装飾部材は装飾主部材と装飾副部材より構成され、装飾主部材には打込ピンが立設され、装飾副部材には上記打込ピンの通し孔が設けられ、この通し孔に上記打込ピンを通してから当該打込ピンの先端部を上記打込部に打ち込んでその打込孔の周壁に上記引掛り部を食込ませることにより上記の雄ホック部材、装飾主部材及び装飾副部材を取付個所に固定しうるようにされたものであるので、これを衣服等に取り付けるには、衣服等における取付個所の表側に装飾主部材を配し裏側に雄ホック部材を配すると共に装飾主部材の通し孔に打込ピンを挿入してから当該打込ピンの先端を雄ホック部材の打込部に打込圧入すればよいものであり、衣服等の取付個所に予め下孔を開ける必要がない分取付個所に対する取付工程の簡略化ができる。すなわち、量産化、低コスト化、製造工程の少減化等に優れている、装飾主部材及び装飾副部材により装飾された雄ホックを容易に提供できる。しかも請求項２に係るホックの雄ホックにあっては装飾主部材が装飾の機能、装飾副部材の固定機能及び衣服等への取付機能を一品で果たすことができ、構成の簡略化に顕著に貢献する利点を奏する。また、打込ピンの外周には引掛り部が設けられたので、衣服等に取り付けられた場合、引掛り部が打込部に食い込んだ状態で打込ピンを打込部に強固に係止でき、打込ピンの抜け外れ事故を完全に回避でき、当該事故を惹起するような不良衣服を不測に提供してしまうようなミスを防止できる。
【００１０】
請求項３に係るホックの雄ホックは、打込部はプラスチック製であり、打込ピンは金属製であるので、打込ピンの先端を雄ホック部材に打込む作業にあっては、上記した従来のカシメ脚のカシメ作業の場合に比べて例えば打込部のプラスチックの硬さにもよるが３分の１以下というような極端に小さい力で打込むことを可能にすることができる。したがって、上記した従来のカシメ脚で起きていたような問題すなわち、ホック本体やその飾部分に破損、変形を生起してしまい易いという問題、当該破損、変形問題が洋服等衣服への取付中に発生した場合には取り除いて付け直すことが殆どできなく結果として洋服等衣服ごと廃棄処分せざるを得ない事態を招くという問題を解消できる。
【００１１】
請求項４に係るホックの雄ホックにあっては、打込部がインサート成形により雄ホック部材に設けられたので、上記請求項１〜３の発明の効果に加え、打込部が雄ホック部材から外れてしまう惧れがない良品を容易に効率よく生産できる。
【００１２】
請求項５に係るホックの雄ホックにあっては、打込部が打込部材の圧入固定により雄ホック部材に設けられたことを特徴とするので、上記請求項１〜３の発明の効果に加え、当該打込部として機能する打込部材を雄ホック部材とは別工程で製造してから雄ホック部材に固定する生産工程を実施できる。すなわち、この請求項５に係るホックの雄ホックによれば所謂分業化にできる。
【００１３】
請求項６に係るホックの雄ホックにあっては、引掛り部が打込方向と反対の向きに傾斜して逆進を阻止するくさび形の断面形状にされたので、上記請求項１〜５の発明の効果に加え、衣服等に取り付けられた場合、打込部には打込ピンをより強固に係止でき、打込ピンの抜け外れ事故を惹起するような不良衣服を不測に提供してしまうようなミスをより確実に防止でき、より優れた良品の提供に好適である。
【００１４】
請求項７に係るホックの雄ホックにあっては、装飾部材（若しくは装飾主部材）が透かし孔を有する透かし模様形状体とされ、打込ピンが模様形状体の裏面に立設されたので、上記請求項１〜６の発明の効果に加え、上記の従来例が有していた、パイプ状カシメ脚の壁の厚さ（肉厚）が薄いために立設し難いという問題及び当該パイプ状カシメ脚が透かし孔を介して露呈して体裁を損ねることになる等の理由から実施が困難である若しくはできないというような問題が解消できる。
【００１５】
請求項８に係るホックの雄ホックにあっては、打込ピンが中実の細棒製とされたので、上記請求項１〜７の発明の効果に加え、上記の従来例が有していた、パイプ状カシメ脚の壁の厚さ（肉厚）が薄いために、透かし孔をもつ透かし模様形状の止め部材には立設し難いのみならずパイプ状カシメ脚が透かし孔を介して露呈して体裁を損ねることになる等の理由から実施が困難である若しくはできないというような問題を解消できる。
【発明を実施するための最良の形態】
【００１６】
図１〜図３は、本発明の第１実施の形態に係るホックの雄ホック１を示す。なお、図１は全体を示す平面図であり、図２は同じく断面図であり、図３は同じく分解断面図である。
【００１７】
本発明の第１実施の形態に係るホックの雄ホック１は、金属材料製の雄ホック部材２と、多数の透かし孔部１８を有する透かし模様形状の装飾部材３とにより構成されているものであり、そして、これら雄ホック部材２、装飾部材３は、当該雄ホック部材２に設けられた後述する打込部５に対して装飾部材３の裏面に設けられた後述する中実細棒製の打込ピン６を打ち込み止んでその打込孔の周壁に後述する引掛り部２２を食込ませることにより衣服の取付個所７に止着しうるようにされているものである。
【００１８】
上記雄ホック部材２は、括れた頸部９を外周に有する頂面が平らな雄ホック部分１０と当該雄ホック部分１０の裾周りに連続して設けた座部１１と同雄ホック部分１０の頂面の中央に形成した固定用凹部１２からなり、固定用凹部１２の底壁には開孔１３を設けることにより内向きフランジ状縁１４が設けられている。
【００１９】
装飾部材３は、多数の透かし孔部１８を有する透かし模様状飾部１９と当該透かし模様状飾部１９の裏面の中央に一体に立設された中実打込ピン６とから構成されている。なお、装飾部材３の形は、透かし模様状飾に拘る必要がなく他の適宜の形状例えば透かし孔が無い形状、凹凸模様を有する形状等にすることができる。また、材質も同様に拘る必要がなく他の適宜の材質にすることができ、プレス加工品、ダイカスト品、成形品を採用することができる。
【００２０】
上記打込部５は、上記雄ホック部材２をインサートした合成樹脂成形法により構成され、合成樹脂材料２０が当該雄ホック部材２における雄ホック部分１０内及び固定用凹部１２内並びに開孔１３内を埋め且つ座部１１の外面を覆う状態にされると共に開孔１３の中心線を中心とする個所には打込補助孔２１が設けられた構成にされている。なお、この打込補助孔２１は、打込ピン６の材質やその先端の尖り具合及び打込部５の材質にもよるが、前以て設けない構成で実施することができる。
【００２１】
上記打込ピン６は、中実にされ、その外周には上記打込補助孔２１よりやや径が大きい多段の引掛り片２２が設けられ、各引掛り片２２は打込方向と反対の向きに傾斜して逆進を阻止するくさび形の断面形状にされている。この場合、当該引掛り片２２は少なくとも一個以上形成されていればよい。なお、打込ピン６は、抜け外れなければよいので、上記引掛り片２２の代わりにたとえばローレット、ツメ状突起、環紋状突起等を設けて実施してもよく、勿論圧入による締付力で充分な場合には引掛り片２２、ローレット、突起等を設けないこともあり得る。また補助的に接着剤の流込みで固定するようにしてもよい。また、上記くさび形の引掛り片２２はネジのように連続して形成することができる。
【００２２】
図４及び図５は、本発明の第２実施の形態に係るホックの雄ホック２３を示す。なお、図４は全体を示す断面図であり、図５は同じく分解断面図である。
【００２３】
この第２実施の形態に係るホックの雄ホック２３は、上記第１実施の形態に係るホックの雄ホック１と略同じ構成にされているものであるので、同一の部位には同じ符号を付してその説明を省略し、異なる部位、具体的には打込部２４の構成及び装飾部材３の構成について次に説明する。
【００２４】
すなわち、打込部２４は、上記雄ホック部材２とは別個に予め合成樹脂成形法により構成され、太径部２５と細径部２６よりなり、当該雄ホック部材２に対しては圧入により抜け外れ不能に固定されている。つまり、この固定は、その太径部２５の外周面が雄ホック部材２における固定用凹部１２の周壁に圧接し且つ細径部２６の外周面が雄ホック部材２における内向きフランジ状縁１４に圧接して達成されている。したがって、雄ホック部材２と打込部２４との固定は、固定用凹部１２に対する打込部２４の圧入加工により簡単になし得る利点がある。
【００２５】
また、装飾部材３は、頂面に凹凸模様２８を有する円盤状飾部２９と当該円盤状飾部２９の裏面の中央に一体に立設された中実打込ピン６とから構成されている。つまり、本発明によれば装飾部材３は、透かし模様形状、透かし孔が無い形状又は凹凸模様を有する形状等に拘る必要がなく他の適宜の形状にすること、別体のダイヤ飾、貴金属製飾等飾を補助的に付加することで構成し提供できる。また、材質も同様に拘る必要がなく他の適宜の材質にすることができ、プレス加工品、ダイカスト品、成形品を採用することができる。
【００２６】
上記第１及び第２実施の形態に係る雄ホックの衣服等への取付は、衣服等における取付個所７の表側に装飾部材３を配し裏側に雄ホック部材２を配すると共に当該雄ホック部材２の打込ピン６を雄ホック部材２の打込補助孔２１に打ち込んでその打込孔の周壁に上記引掛り部を食込ませればよい。なお、図に示す各実施の形態にあっては、打込ピン６の先端をやや尖らせて衣服の取付個所の生地に通し用孔を設けずに突き破るようにしてあるが、打込作業をより容易にするために衣服の取付個所に通し用孔を予め開けておくことができる。
【００２７】
図６〜図８は、本発明の第３実施の形態に係るホックの雄ホック３１を示す。なお、図６は全体を示す平面図であり、図７は同じく断面図であり、図８は同じく分解断面図である。
【００２８】
本発明の第３実施の形態に係るホックの雄ホック３１は、上記第１実施の形態に係るホックの雄ホック１と略同じ構成にされているものであるので、同一の部位には同じ符号を付してその説明を省略し、異なる部位、具体的には装飾部材３の構成について次に説明する。
【００２９】
すなわち、装飾部材３は、装飾主部材４aと装飾副部材４bより構成され、装飾主部材４aには打込ピン６が立設され、装飾副部材４bには上記打込ピン６の通し孔１７が設けられたものである。つまり、第３実施の形態に係るホックの雄ホック３１は、金属材料製の雄ホック部材２と、略半球形状を呈する合成樹脂製の装飾副部材４bと、当該装飾副部材４bの頂部に固定される金属材料製の装飾主部材４aとにより構成されているものである。そして、これら雄ホック部材２、装飾主部材４a、装飾副部材４ｂは、当該雄ホック部材２に設けられた打込部５に打込ピン６を打ち込んでその打込孔の周壁に上記引掛り部２２を食込ませることにより衣服の取付個所７に固定されるものである。
【００３０】
上記装飾主部材４aは、上記第１実施の形態に係るホックの雄ホック１と同様に多数の透かし孔部１８を有する透かし模様状飾部１９と当該透かし模様状飾部１９の裏面の中央に一体に立設された中実打込ピン６とから構成されている。
【００３１】
また、装飾副部材４bは、ポリエチレンテレフタレート、ポリプチレンテレフタレート等合成樹脂を以て略半球形状の核部材１５をインジェクション成形し、当該成形核部材１５の表面を研磨して当該研磨済み表面に金属コート１６を施して構成されている。
【００３２】
図９及び図１０は、本発明の第４実施の形態に係るホックの雄ホック３２を示す。なお、図９は全体を示す断面図であり、図１０は同じく分解断面図である。
【００３３】
この第４実施の形態に係るホックの雄ホック３２は、その装飾部材３が上記第３実施の形態に係るホックの雄ホック３１と略同じ構成にされ、同じく雄ホック部材２が上記第１実施の形態に係るホックの雄ホック１と略同じ構成にされているものであるので、同一の部位には同じ符号を付してその説明を省略する。
【００３４】
なお、上記打込部５、２４は、打込ピン６を打込圧入により抜去不能に固定するための打込補助孔２１を備え且つ引掛り片２２が打込補助孔２１の周壁面に食込み止まるものであればよいので、上記以外の材料たとえば打込ピン６より柔らかいダイキャスト、その他の上記打込ピンよりも柔らかい性質の金属等を使用しても実施できる。
【００３５】
また、上記のように核部材がポリエチレンテレフタレートまたはポリプチレンテレフタレート製とされた場合には、弾性力があるので打込加工、切削加工、研磨加工ができるのみならず溶剤に強いものを提供でき、複雑な凹凸模様を備えた製品が提供できる。更に上記のように研磨加工および切削加工が可能であるので、インジェクション成形後にアール取り、パーティングラインの除去加工ができるものであって仕上りの美しい製品の提供が可能である。また上記したように溶剤には強いので金属コート加工の薬品処理段階では溶剤の影響を少しも受けることがないので同溶剤による不良品の発生がないものである。
【００３６】
上記第３及び第４実施の形態に係る雄ホックの衣服等への取付は、衣服等における取付個所の表側に装飾副部材４bを配し裏側に雄ホック部材２を配すると共に装飾副部材４bの通し孔１７に打込ピン６を挿入してから当該打込ピン６を雄ホック部材２の打込補助孔２１に打ち込んでその打込孔の周壁に上記引掛り部２２を食込ませればよい。なお、図に示す各実施の形態にあっては、打込ピン６の先端をやや尖らせて衣服の取付個所の生地に通し用孔を設けずに突き破るようにしてあるが、打込作業をより容易にするために衣服の取付個所に通し用孔を予め開けておくことができる。
【００３７】
図中の符号３４は、雌ホックを示している。この雌ホック３４は汎用のものであるのでここでは詳述しないが、基本的には係止用凹部３５の銜止用スプリング３６により上記雄ホック部分１０を銜え込んで係止する形式のものである。
【図面の簡単な説明】
【００３８】
【図１】第１実施の形態に係るホックの雄ホックを示す平面図である。
【図２】同じく断面図である。
【図３】同じく分解断面図である。
【図４】第２実施の形態に係るホックの雄ホックを示す断面図である。
【図５】同じく分解断面図である。
【図６】第３実施の形態に係るホックの雄ホックを示す平面図である。
【図７】同じく断面図である。
【図８】同じく分解断面図である。
【図９】第３実施の形態に係るホックの雄ホックを示す断面図である。
【図１０】同じく分解断面図である。
【符号の説明】
【００３９】
１  第１実施の形態に係るホックの雄ホック
２  雄ホック部材
３  装飾部材
４a  装飾主部材
４ｂ  装飾副部材
５  打込部
６  中実打込ピン
７  取付個所
９  頸部
１０  雄ホック部分
１１  座部
１２  固定用凹部
１３  開孔
１４  フランジ状縁
１５  核部材
１６  金属コート
１７  通し孔
１８  透かし孔部
１９  透かし模様状飾部
２０  合成樹脂材料
２１  打込補助孔
２２  引掛り片
２３  第２実施の形態に係るホックの雄ホック
２４  打込部
２５  太径部
２６  細径部
２８  凹凸模様
２９  円盤状飾部
３１  第３実施の形態に係るホックの雄ホック
３２  第４実施の形態に係るホックの雄ホック
３４  雌ホック
３５  係止用凹部
３６  銜止用スプリング
【図１】
2007105243.tif 000003
【図２】
2007105243.tif 000004
【図３】
2007105243.tif 000005
【図４】
2007105243.tif 000006
【図５】
2007105243.tif 000007
【図６】
2007105243.tif 000008
【図７】
2007105243.tif 000009
【図８】
2007105243.tif 000010
【図９】
2007105243.tif 000011
【図１０】
2007105243.tif 000012